(57)【要約】【課題】被介護者が座った状態での安全性を向上することができるとともに、介助者が被介護者の乗降を補助することを容易にする介護シフターを提供する。【解決手段】支柱４から水平突出するとともに昇降機構により当該支柱に沿って昇降する、人体の上半身を支持するための左右一対の支持アーム３を有し、両支持アーム３間には、人体の下半身を担持するための支持バンド１０を懸架し、各支持アーム３の中間位置に関節部９を形成して、この関節部９の回動により両支持アーム３の開状態と閉状態とを選択することができ、各関節部９の回動軸が各支持アーム３に対し傾斜して形成され、両支持アーム３の先端側が下方に下がるにつれて両支持アーム３が閉じるとともに、支持バンド１０が両支持アーム３において関節部９よりも先端側に取り付けられることにより、人体が支持バンド１０に荷重を加えるのに連動して、両支持アーム３を閉状態とする。【選択図】図１
2012090875.tif 000002
【特許請求の範囲】
【請求項１】
移動手段を有して接地した基台と、
この基台から立設した支柱と、
この支柱から水平突出するとともに昇降機構により当該支柱に沿って昇降する、人体の上半身を支持するための左右一対の支持アームとからなり、
上記両支持アーム間には、人体の下半身を担持するための支持バンドを懸架し、
上記各支持アームの中間位置に関節部を形成して、この関節部の回動により上記両支持アームの開状態と閉状態とを選択することができ、
上記各関節部の回動軸が各支持アームに対し傾斜して形成され、上記両支持アームの先端側が下方に下がるにつれて上記両支持アームが閉じるとともに、
上記支持バンドが上記両支持アームにおいて上記関節部よりも先端側に取り付けられることにより、人体が上記支持バンドに荷重を加えるのに連動して、上記両支持アームを閉状態とする
ことを特徴とする介護シフター。
【請求項２】
上記両支持アームの間に略直線状に突っ張って上記開状態を維持するストッパーと、
このストッパーの略直線状および屈曲形状を切り換える操作部と
を有するロック機構を設けたことを特徴とする請求項１記載の介護シフター。
【発明の詳細な説明】
【技術分野】
【０００１】
本発明は、被介護者の介護や移動の際に、介助者の労力を軽減させるために用いられる介護シフターに関する。
【背景技術】
【０００２】
従来、ベッドで生活している被介護者の日常生活を補助する介助者は、介護や移動の際に被介護者を抱えて移動させるため、負担が極めて大きなものとなり、腰などを痛めることがあった。そのため、介助者の負担を軽減し、被介護者を安全かつ容易に移動させるために介護リフター（シフター）が用いられていた。
この介護リフターには、キャスターを有して移動可能な基台に、左右二本の支柱を立設し、各支柱から支持アームを水平に突出するとともにこの各支持アームをそれぞれ各支柱に昇降可能に取り付け、各支持アームが人体の膝と背部とをそれぞれ支持することで被介護者の担持と移動とを可能にしたものがあった（特許文献１）。
【０００３】
また、移動可能な基台から左右２本の支柱を立設し、両支柱間にアーム台を昇降可能に張り渡し、このアーム台に水平な一対の支持アームを左右に移動可能に取り付けるとともに両支持アーム間に吊り具を吊り下げたものがあった（特許文献２）。この介護シフターでは、両支持アームを被介護者の脇の下に挟み、臀部の下に吊り具を当てて、被介護者の転倒を防止していた。
【先行技術文献】
【特許文献】
【０００４】
【特許文献１】実用新案登録第３０６０６７０号公報
【特許文献２】特開２００２−２５３６１４号公報
【０００５】
しかし、特許文献２の介護シフターでは、支持アームの先端が被介護者の脇の下から背中を支持しているが、吊り具に座った被介護者が支持アームに寄りかかると、左右に移動可能な支持アームが開いて、被介護者が転倒するおそれがあった。
【発明の概要】
【発明が解決しようとする課題】
【０００６】
本発明は上記問題点を解決するためになされたものであり、被介護者が座った状態での安全性を向上することができるとともに、介助者が被介護者の乗降を補助することを容易にする介護シフターを提供することを課題とする。
【課題を解決するための手段】
【０００７】
本発明において、上記課題が解決される手段は以下の通りである。
第１の発明は、移動手段を有して接地した基台と、この基台から立設した支柱と、この支柱から水平突出するとともに昇降機構により当該支柱に沿って昇降する、人体の上半身を支持するための左右一対の支持アームとからなり、上記両支持アーム間には、人体の下半身を担持するための支持バンドを懸架し、上記各支持アームの中間位置に関節部を形成して、この関節部の回動により上記両支持アームの開状態と閉状態とを選択することができ、上記各関節部の回動軸が各支持アームに対し傾斜して形成され、上記両支持アームの先端側が下方に下がるにつれて上記両支持アームが閉じるとともに、上記支持バンドが上記両支持アームにおいて上記関節部よりも先端側に取り付けられることにより、人体が上記支持バンドに荷重を加えるのに連動して、上記両支持アームを閉状態とすることを特徴とする。
【０００８】
また、第２の発明は、上記両支持アームの間に略直線状に突っ張って上記開状態を維持するストッパーと、このストッパーの略直線状および屈曲形状を切り換える操作部とを有するロック機構を設けたことを特徴とする。
【発明の効果】
【０００９】
第１の発明によれば、上記両支持アーム間に、人体の下半身を担持するための支持バンドを懸架し、上記各支持アームの中間位置に関節部を形成して、この関節部の回動により上記両支持アームの開状態と閉状態とを選択することができ、上記各関節部の回動軸が各支持アームに対し傾斜して形成され、上記両支持アームの先端側が下方に下がるにつれて上記両支持アームが閉じるとともに、上記支持バンドが上記両支持アームにおいて上記関節部よりも先端側に取り付けられることにより、人体が上記支持バンドに荷重を加えるのに連動して、上記両支持アームを閉状態とするため、被介護者が着座した状態では、被介護者の体重によって閉状態が強固に維持され、被介護者が寄りかかっても支持アームが開いて被介護者が後方に転倒することがなく、被介護者の安全を確保することができる。
【００１０】
第２の発明によれば、上記両支持アームの間に略直線状に突っ張って上記開状態を維持するストッパーと、このストッパーの略直線状および屈曲形状を切り換える操作部とを有するロック機構を設けたことにより、被介護者を支持バンドに着座させても両支持アームが急に閉じることがなく、被介護者の身体を両支持アーム間に完全に進入させてから両支持アームを閉じることができて、被介護者を安全かつ容易に介護シフターに乗せることができる。
【図面の簡単な説明】
【００１１】
【図１】本発明の実施形態に係る介護シフターの斜視図である。
【図２】同介護シフターの使用状態を示す斜視図である。
【図３】同介護シフターの側方図である。
【図４】同介護シフターの正面図である。
【図５】同介護シフターの支持アームおよびロック機構を示す平面図である。
【発明を実施するための形態】
【００１２】
以下、本発明の実施形態に係る介護シフター１について説明する。
図１は同介護シフター１の斜視図である。ただし、後述するロック機構の操作部１６（図５参照）を省略している。
また、図３は同介護シフター１の側方図、図４は同介護シフターの正面図である。ただし、後述する支持バンド１０（図１参照）を省略している。
【００１３】
図１に示すように、この介護シフター１の基台２は、Ｕ字状ないしコ字状に形成された枠体で、その四隅の下方に車輪２ａを設けて接地しており、介護シフター１の移動を容易にしている。基台２の左右幅は、後述する一対の支持アーム３，３の幅よりも広く設定されており、安定性を高めて転倒を防止している。
【００１４】
この基台２の中央からは一本の支柱４が垂直に立設しており、その外周を囲むようにアーム基部５が取り付けられている。この支柱４は断面が正方形になっており、その外壁にアーム基部５に設けられた車輪状ガイドロールが接触して転がることで上下にスライドし、支柱４に対してアーム基部５が電動で昇降することができるようになっている。
支柱４の上端にはアーム基部５を昇降させるモーター６が設けられている。
また、基台２の右隅には側柱７が立設され、この側柱７にはモーター６に接続された制御用コントローラ８が取り付けられ、アーム基部５の昇降を操作できるようになっている（図３破線部参照）。制御用コントローラ８からは、図４に示すように電源プラグが延出している。
【００１５】
図１に示すように、アーム基部５の左右両端からは、人体の横幅よりもやや広い間隔に設定された左右一対の支持アーム３，３が、それぞれ前方に略水平に突出している。
各支持アーム３の中間位置には、ヒンジなどからなる関節部９を設けており、関節部９が内側に回動することで両支持アーム３の先端の距離を人体の幅よりも狭める閉状態とすることができる。
各支持アーム３の先端部には内側に屈曲した背受部３ａが設けられており、図２に示すように、支持アーム３の閉状態において被介護者の背中を支持する役割を果たす。
【００１６】
図５に示すように、各支持アーム３に設けられた関節部９は、その回動軸を各支持アーム３に対して幅方向内側におよそ４５度傾斜させてあり、開状態では各支持アーム３はわずかに上向きであり、閉状態では各支持アーム３は下方に傾斜している。これにより、支持アーム３の先端側が下方に下がるにつれて、図２、図３破線部および図５破線部に示すように、両支持アーム３が閉じるようになっている。
また、図１、図２に示すように、関節部９よりも先端側において、両支持アーム３の間には、支持バンド１０がフック等を介して着脱可能に懸架されている。この支持バンド１０は、被介護者が介護シフター１に乗る際にその臀部ないし膝下を担持する。支持バンド１０には、適宜クッション材１０ａなどを設けている。
【００１７】
この介護シフター１では、被介護者が支持バンド１０に着座して荷重を加えると、懸架された支持バンド１０が両支持アーム３，３に下方への力を加える。両支持アーム３，３は下方に傾斜するにつれて閉じるように形成されているため、両支持アーム３，３に加わった力は関節部９を内側に回動させて両支持アーム３，３を閉じ、閉状態を維持するように働く。
よって、この介護シフター１では、図２のように被介護者が着座した状態では、被介護者の体重によって支持アーム３の閉状態が強固に維持されるため、被介護者が背受部３ａに寄りかかっても支持アーム３が開いて被介護者が後方へ転倒することがなく、被介護者の安全を確保することができる。
【００１８】
しかし、介助者が被介護者を介護シフター１に乗せる際には、被介護者を支持バンド１０に着座させるのとほぼ同時に被介護者の身体を両支持アーム３，３間に進入させることになるため、支持バンド１０に荷重が加わるのに連動して両支持アーム３，３が閉じると、被介護者の身体が進入しきる前に両支持アーム３，３が閉じてしまい、不都合を生じる可能性もある。
【００１９】
そこで、本発明の実施形態にかかる介護シフター１には、被介護者を乗せるときに両支持アーム３，３の開状態を維持するロック機構を設けている。
図５に示すように、このロック機構では、関節部９よりも先端側において、複数の棒材からなるストッパー１１が両支持アーム３，３間に突っ張って開状態を維持することができる。このストッパー１１は、中央の中央部材１２と、一端をこの中央部材１２の両端にそれぞれ所定角度だけ回動可能に留められるとともに他端をそれぞれ左右の支持アーム３，３に回動可能に留められる一対の両翼部材１３，１３とからなる。
【００２０】
中央部材１２には棒状の牽連部材１４を固定し、牽連部材１４が前後方向に進退することにより、ストッパー１１が略直線状に並び両支持アーム３，３間で突っ張って開状態を維持し、または、両翼部材１３，１３が回動しストッパー１１が屈曲して両支持アーム３，３を閉状態とする。
この牽連部材１４は、両支持アーム３，３の関節部９，９より基端側の部分に張り渡された固定部材１５に対し、進退可能に取り付けられている。より詳細には、牽連部材１４は、ラック・ピニオン機構（図示せず）によって、固定部材１５に回動可能に取り付けられた操作部１６と連結され、操作部１６のハンドルを一方向に回転させると牽連部材１４が前進し、逆方向に回転させると牽連部材１４が後退するようになっている（図５破線部）。
【００２１】
介助者が被介護者をベッド等からこの介護シフター１に乗せるには、まず、ロック機構のストッパー１１を略直線状に配して、両支持アーム３，３の開状態を維持する（図５）。
次いで、被介護者をベッド等の端に座らせて足を前に垂れさせる。その後、アーム基部５および両支持アーム３，３を被介護者の膝付近まで下降させ、支持バンド１０の一端を支持アーム３から外し、被介護者の膝下を通して再び支持アーム３に架ける。この状態で制御用コントローラ８を操作し、両支持アーム３，３を少しずつ上昇させると、被介護者の体重により支持バンド１０が張って両支持アーム３，３を閉じる力が働く。このとき、被介護者の体重によって両支持アーム３，３を閉じる力が加わっても、ロック機構のストッパー１１が両支持アーム３，３の間に突っ張って両支持アーム３，３の距離を保持しているため、開状態が維持される。
次いで、被介護者の身体が両支持アーム３，３の間に完全に進入していることを確認して、ロック機構の操作部１６を回転させてストッパー１１を屈曲させ、被介護者の体重によって両支持アーム３，３を閉状態にする（図２、図５破線部）。その後、両支持アーム３，３をさらに上昇させ、被介護者をベッド等から完全に浮き上がらせる。
【００２２】
また、被介護者を両支持アーム３，３が閉状態の介護シフター１から降ろすには、ベッド等の手前で両支持アーム３を下降させて被介護者をベッド等の端に座らせ、ロック機構の操作部１６を逆方向に回転させてストッパー１１を略直線状にし、両支持アーム３，３を開状態にして、支持バンド１０を支持アーム３から外し、被介護者の膝下から抜き取る。
【００２３】
このように、本発明の実施形態にかかる介護シフター１では、ロック機構を設けたことにより、被介護者を介護シフター１に乗せる際に、被介護者を支持バンド１０に着座させても両支持アーム３，３が急に閉じることがなく、被介護者の身体を両支持アーム間に完全に進入させてから両支持アームを閉じることができて、被介護者を安全かつ容易に介護シフター１に乗せることができる。
【符号の説明】
【００２４】
１  介護シフター
２  基台
２ａ  車輪
３  支持アーム
３ａ  背受部
４  支柱
５  アーム基部
６  モーター
７  側柱
８  制御用コントローラ
９  関節部
１０  支持バンド
１０ａ  クッション材
１１  ストッパー
１２  中央部材
１３  両翼部材
１４  牽連部材
１５  固定部材
１６  操作部
【図１】
2012090875.tif 000003
【図２】
2012090875.tif 000004
【図３】
2012090875.tif 000005
【図４】
2012090875.tif 000006
【図５】
2012090875.tif 000007